(57)【特許請求の範囲】
【請求項１】
灯体に取り付けられた光源と、
下方に開口する有底筒状をなし、前記灯体に立設されて、前記光源を被うように前記灯体へ着脱自在に保持されるグローブと、
保守作業時には前記グローブを前記灯体の上方位置で保持する保持手段と、
前記グローブの上底部を貫通して前記グローブを上下移動可能に支持するガイド軸と
を備えることを特徴とする航空障害灯。
【請求項２】
請求項１記載の航空障害灯において、
前記上側保持手段は、前記ガイド軸の外周部に配置され、前記グローブを前記上方位置へ復元力により押圧保持するバネからなり、運用動作時に前記バネの復元力に抗して前記グローブを前記灯体へ押圧保持する下側保持手段をさらに備えることを特徴とする航空障害灯。
【請求項３】
請求項２記載の航空障害灯において、
前記下側保持手段は、前記ガイド軸の外周部に設けられたネジ部に螺合して前記グローブの上底部を下方へ締め付けることにより前記グローブを前記灯体へ押圧保持するロックナットからなることを特徴とする航空障害灯。
【請求項４】
請求項２記載の航空障害灯において、
前記バネの外周に設けられ、前記下側保持手段により前記グローブが前記灯体へ押圧保持される際に、前記グローブの上底部内側面を所定の上下位置に係止する筒状のカラーをさらに備えることを特徴とする航空障害灯。
【請求項５】
請求項１記載の航空障害灯において、
前記上側保持手段は、前記ガイド軸の上端側に設けられ、前記グローブの上底部に設けられた係合子と係合することにより、前記グローブを前記上方位置で係合保持するフックからなることを特徴とする航空障害灯。
【請求項６】
請求項１記載の航空障害灯において、
前記上側保持手段は、前記ガイド軸の上端側に前記ガイド軸の外周面から外方へ突出して設けられた弾性を有するストッパーからなり、このストッパーと前記グローブの上底部とが係合することにより前記グローブを前記上方位置で係合保持することを特徴とする航空障害灯。
【請求項７】
請求項１記載の航空障害灯において、
前記ガイド軸は、前記灯体の底部に立設された筒状のガイド筒からなり、
前記ガイド筒の内側に下端が支持され、その上端に保持機構が設けられた固定バーと、
前記グローブの上底部下側面に固定され、その下端に係合機構が設けられた可動バーとをさらに備え、
前記係合機構は、前記グローブの上下移動に応じて前記固定バーと摺動するとともに、前記グローブが前記上方位置へ移動した際に前記保持機構と係合し、
前記保持機構は、前記係合機構との係合により前記可動バーを介して前記グローブを前記上方位置で保持することを特徴とする航空障害灯。
【請求項８】
請求項７記載の航空障害灯において、
前記係合機構は、前記可動バーの下端に固定され前記固定バーと摺動自在に嵌合するホルダーと、前記可動バーの下端に回動自在に支持され前記保持機構と係合するコマとを有し、
前記保持機構は、前記固定バーの上端に下向きに突出して固定され前記コマとの当接に応じて前記コマを回動させるピンと、前記固定バー上端の側部に形成され前記コマの回動角度に応じて前記コマと係合しあるいは前記コマをさらに回動させる角部を有する切り欠き部とを有し、
前記切り欠き部は、開口側が広がった台形形状をなし、その開口側に形成された上側角部と下側角部とを有し、
前記コマは、その回動軸を挟んで対向する第１および第２の凹部と、これら凹部と直交する位置にその回動軸を挟んで対向する第１および第２の側面とを有し、前記第１の凹部は、前記グローブが前記上方位置よりわずかに上へ移動した際に前記ピンと当接して前記第２の凹部と前記下側角部とを対向するように前記コマを回動させ、前記第２の凹部は、前記グローブが前記上方位置まで下がった際に前記下側角部と係合して前記グローブを前記上方位置で保持し、前記第１の側面は前記上方位置で保持されているグローブがわずかに上へ再移動した際に前記ピンと当接して前記第２の側面と前記下側角部とが対向するように前記コマを回動させ、前記第２の側面は前記グローブが前記上方位置から上へ再移動した後の下方への移動の際に前記下側角部と当接して前記グローブが前記上方位置より下方へ移動可能なように前記コマを回動させることを特徴とする航空障害灯。
【請求項９】
灯体に設けれた光源と、
前記光源を被うように前記灯体へ着脱自在に保持されるグローブと、
前記灯体の上側に取り付けられた支持板と、
この支持板の上側に設けられ、前記灯体の平面視中心を通る鉛直軸を回動中心として前記光源を回動自在に支持し、保守作業時には前記グローブが取り外された後、前記光源を任意の角度方向へ回動させるステージとを備えることを特徴とする航空障害灯。
【請求項１０】
請求項９記載の航空障害灯において、
前記支持板は、その内周部に円筒軸が一体に形成された円環形状をなし、
前記ステージは、前記円筒軸の外周部に嵌合する円環形状をなし、
前記ステージと対向するように前記円筒の上端面に固定されたストッパープレートをさらに備えることを特徴とする航空障害灯。
【請求項１１】
請求項１０記載の航空障害灯において、
このストッパープレートに設けられ、前記ステージの上側面に形成されたくぼみと係合することにより前記ステージを所定の角度位置で保持するボールプランジャーとをさらに備えることを特徴とする航空障害灯。
【請求項１２】
請求項１０記載の航空障害灯において、
前記ストッパープレートの外側面に形成され、その半径方向へ突出する凸部と、
前記ステージの上側面に固定され、前記ステージの回動に応じて前記凸部と当接することにより前記ステージの回動角度を制限するストッパーとをさらに備えることを特徴とする航空障害灯。
【発明の詳細な説明】
【０００１】
【発明の属する技術分野】
本発明は、航空障害灯に関し、特にグローブが灯体の上方から光源を被うように灯体へ取り付けられる航空障害灯に関するものである。
【０００２】
【従来の技術】
高層ビル、送電鉄塔あるいは煙突などの航空路障害物の位置を航空機に対して通知する航空灯火として、構造物の屋上、先端あるいは壁面などの高所に航空障害灯が設置されている。この種の航空障害灯には、より顕著に航空路障害物の位置を通知するため、さらには夜間だけでなく昼間にも利用するため、閃光発光させるものがある。通常、このような閃光式の航空障害灯としては、キセノンランプなど閃光発光可能な線光源を用いられることが多く、所望の配光特性を得るために線光源からの光を反射する反射鏡を所定の位置関係で灯体内側に取り付け配置し、これら線光源および反射鏡を灯体上部からガラスなど光透過性のグローブで被う構造となっている。従来、このような航空障害灯では、灯体内側について保守作業を行う場合、グローブを持ち上げて灯体から完全に取り外し、線光源の交換などを行うものとなっていた。
【０００３】
【発明が解決しようとする課題】
しかしながら、このような従来の航空障害灯では、グローブを灯体から完全に取り外して灯体内側の保守作業を行うものとなっていたため、作業スペースがほとんどない高所で取り外したグローブの置き場所を確保したり、グローブの落下を防止するなどの作業が必要となり、保守作業負担が増大するという問題点があった。なお、グローブの一端を灯体に回動自在に支持する構造も考えられるが、グローブの回動方向により作業可能方向が制限され、作業スペースが狭い高所では保守作業し難いという問題点があった。
本発明はこのような課題を解決するためのものであり、作業スペースが狭い高所でも容易に保守作業できる航空障害灯を提供することを目的としている。
【０００４】
【課題を解決するための手段】
このような目的を達成するために、本発明による航空障害灯は、灯体に取り付けられた光源と、下方に開口する有底筒状をなし、灯体に立設されて、光源を被うように灯体へ着脱自在に保持されるグローブと、グローブを灯体の上方位置で保持する保持手段と、グローブの上底部を貫通してグローブを上下移動可能に支持するガイド軸とを設け、保守作業時にはグローブを灯体の上方位置で保持するようにしたものである。
【０００５】
上側保持手段については、ガイド軸の外周部に配置され、グローブを上方位置へ復元力により押圧保持するバネで構成し、下側保持手で、段運用動作時にバネの復元力に抗してグローブを灯体へ押圧保持するようにしてもよい。この下側保持手段については、ガイド軸の外周部に設けられたネジ部に螺合するロックナットを用い、このロックナットでグローブの上底部を下方へ締め付けることによりグローブを灯体へ押圧保持するようにしてもよい。また、筒状のカラーをバネの外周に設け、下側保持手段によりグローブが灯体へ押圧保持される際に、グローブの上底部内側面を所定の上下位置に係止するようにしてもよい。
【０００６】
上側保持手段としては、ガイド軸の上端側にフックを設け、グローブの上底部に設けられた係合子と係合することにより、グローブを上方位置で係合保持するようにしてもよい。あるいは、弾性を有するストッパーをガイド軸の上端側にガイド軸の外周面から外方へ突出して設け、グローブの上底部と係合することによりグローブを上方位置で係合保持するようにしてもよい。
【０００７】
この他の保持手段としては、ガイド軸を、前記灯体の底部に立設された筒状のガイド筒から構成し、ガイド筒の内側に下端が支持され、その上端に保持機構が設けられた固定バーと、グローブの上底部下側面に固定され、その下端に係合機構が設けられた可動バーとをさらに設けて、係合機構で、グローブの上下移動に応じて固定バーと摺動するとともに、グローブが上方位置へ移動した際に保持機構と係合し、保持機構で、係合機構との係合により可動バーを介してグローブを上方位置で保持するようにしてもよい。
【０００８】
係合機構と保持機構との具体例として、係合機構に、可動バーの下端に固定され固定バーと摺動自在に嵌合するホルダーと、可動バーの下端に回動自在に支持され保持機構と係合するコマとを設け、保持機構に、固定バーの上端に下向きに突出して固定されコマとの当接に応じてコマを回動させるピンと、固定バー上端の側部に形成されコマの回動角度に応じてコマと係合しあるいはコマをさらに回動させる角部を有する切り欠き部とを設け、この切り欠き部に、開口側が広がった台形形状をなし、その開口側に形成された上側角部と下側角部とを設ける。そして、コマに、その回動軸を挟んで対向する第１および第２の凹部と、これら凹部と直交する位置にその回動軸を挟んで対向する第１および第２の側面とを設け、第１の凹部は、グローブが上方位置よりわずかに上へ移動した際にピンと当接して第２の凹部と下側角部とを対向するようにコマを回動させ、第２の凹部は、グローブが上方位置まで下がった際に下側角部と係合してグローブを上方位置で保持し、第１の側面は上方位置で保持されているグローブがわずかに上へ再移動した際にピンと当接して第２の側面と下側角部とが対向するようにコマを回動させ、第２の側面はグローブが上方位置から上へ再移動した後の下方への移動の際に下側角部と当接してグローブが上方位置より下方へ移動可能なようにコマを回動させるようにしてもよい。
【０００９】
また、保守作業時に、グローブを灯体の上方位置で保持するのではなく、光源を回動させてもよい。すなわち、灯体に設けれた光源と、光源を被うように灯体へ着脱自在に保持されるグローブと、灯体の上側に取り付けられた支持板と、この支持板の上側に設けられ、灯体の平面視中心を通る鉛直軸を回動中心として光源を回動自在に支持するステージとを設け、保守作業時にはグローブが取り外された後、ステージにより光源を任意の角度方向へ回動させるようにしてもよい。
【００１０】
この場合の具体例については、その内周部に円筒軸が一体に形成された円環形状をなす支持板と、円筒軸の外周部に嵌合する円環形状をなすステージと、ステージと対向するように円筒の上端面に固定されたストッパープレートとを用いて構成してもよい。このときこのストッパープレートにボールプランジャーを設けて、ステージの上側面に形成されたくぼみと係合することによりステージを所定の角度位置で保持するようにしてもよく、ストッパープレートの外側面にその半径方向へ突出する凸部を形成するとともに、ストッパーをステージの上側面に固定し、ステージの回動に応じて凸部とストッパーとが当接することによりステージの回動角度を制限するようにしてもよい。
【００１１】
【発明の実施の形態】
次に、図１〜３を参照して、本発明の第１の実施の形態にかかる航空障害灯について説明する。図１は本発明の第１の実施の形態にかかる航空障害灯を示す構成図、図２は図１のII−II断面図、図３はグローブを取り外した航空障害灯の平面図である。これら図１〜３において、航空障害灯は、上側に開口部１Ａを有する有底円筒状の灯体１と、この灯体１の開口部１Ａを塞ぐように取り付けられた円板状の支持板６と、この支持板６の上側に配置され外部へ閃光を照射するランプユニット３Ａ〜３Ｃと、透光性を有しランプユニット３Ａ〜３Ｃを上方から被うように灯体１の開口部１Ａに取り付けられたグローブ２と、灯体１の中心に立設されグローブ２の上底部２Ａを貫通してグローブ２を上下移動可能に支持するとともに、保守作業時にグローブ２を灯体１の上方位置で保持するためのガイド軸８とから構成されている。
【００１２】
灯体１の開口部１Ａには、灯体１の周壁から外側に向けてフランジ１１が形成されており、支持板６はこのフランジ１１の上面に係止される。ガイド軸８は、プラスチック樹脂などの絶縁部材からなり、このガイド軸８の下端外周部にはネジ部８Ａが形成されている。そして、灯体１の底部内側にネジ止めされている底板１４に設けられたネジ穴と螺合し、さらにネジ部８Ａと螺合するロックナット１５により底板１４へ締め付けられている。これにより、ガイド軸８は灯体底部１Ｂの中心位置で上方へ垂直に立設固定される。灯体１の内室には、ランプユニット３Ａ〜３Ｃを所定タイミングで閃光発光させるための制御回路ユニット７が配置されている。また、灯体１の周壁には、外部から制御回路ユニット７へ電力を供給するケーブル（図示せず）を灯体１の内側へ導入するための穴１３が設けられている。
【００１３】
支持板６上には、それぞれの照射方向が航空障害灯の中心から放射状に水平方向で等しい角度間隔ここでは１２０゜間隔となるように、ランプユニット３Ａ〜３Ｃが同周円上に等間隔で配置されている。ランプユニット３Ａ〜３Ｃは、キセノンランプなど閃光発光する線光源５と、その線光源５からの光を航空障害灯外部へ反射する反射鏡４と、これら線光源５および反射鏡４を所定の位置関係で支持するホルダ３０とから構成されている。線光源５は、その長手方向がランプユニットの照射方向正面に対して垂直でかつ水平方向となるように配置されている。反射鏡４は照射方向へ開放された側面視略凹曲線形状の反射曲面を有しており、全体として前後方向に凹曲し線光源５の長手方向に平行な樋形状で係合保持されている。
【００１４】
支持板６には、その中心位置にガイド軸８を貫通させる穴６Ａが設けられており、また航空障害灯内部で加熱された空気を対流させるための穴６１や、制御回路ユニット７とランプユニット３Ａ〜３Ｃとを接続するコード（図示せず）を配線するための穴６２が設けられている。なお、穴６１を用いて配線してもよい。特に、支持板６の上側に配置されたランプユニット３Ａ〜３Ｃの真下をさけて、制御回路ユニット７を灯体１の中心付近に配置するとともに、その上部の支持板６に穴６１を設けることにより、航空障害灯内部で加熱された空気を効率よく対流させることができる。
【００１５】
また、穴６２をランプユニット３Ａ〜３Ｃの側部位置に設けることにより、ランプユニット３Ａ〜３Ｃと制御回路ユニット７とを接続するコードを無駄なく配線できる。さらに、ランプユニット３Ａ〜３Ｃの側部位置で支持板６を灯体１ヘネジ止めするようにしたので、線光源５や反射鏡４を痛めることなく支持板６およびランプユニット３Ａ〜３Ｃを装着し取り外すことができ、組立時やメンテナンス時の作業を容易かつ安全に行うことができる。
【００１６】
支持板６の穴６Ａ周囲の上面側には、ガイド軸８が貫通する円環状のストッパープレート６４がネジ６５により支持板６ヘネジ止めされている。ガイド軸８の外周部にはグローブ２を灯体１の上方位置へその復元力により押圧保持するバネ８２（上側保持手段）が設けられており、さらにこのバネ８２の外側には円筒状のカラー８１が設けられている。これらバネ８２およびカラー８１の下端はストッパープレート６４の上面で係止される。
【００１７】
グローブ２は、下方へ開口する有底円筒状をなしており、その上底部２Ａ中央には、ガイド軸８が貫通する穴２Ｂが設けられている。穴２Ｂの上面側には、ガイド軸８が貫通する円環状のアッパープレート８４が設けられているとともに、下面側には、ガイド軸８が貫通する円環状のロアプレート８３が設けられている。アッパープレート８４には、穴２Ｂにはめ込まれる部分だけ肉厚部が設けられており、その周囲で上底部２Ａを挟んでロアプレート８３とネジ８５により固定されている。ガイド軸８と対向するアッパープレート８４の内側面には、グローブ２内室への水の浸入を防ぐシール８７が設けられている。
【００１８】
アッパープレート８４の上側に位置には、ガイド軸８中程の外周部に形成されたネジ部８Ｂと螺合するロックナット８６（下側保持手段）が設けられている。航空障害灯の運用動作時には、このロックナット８６を下方へ締め付けることにより、アッパープレート８４さらにはグローブ２の上底部２Ａがバネ８２の復元力に抗して下方へ押圧される。これにより、グローブ２の下端２１が灯体１のフランジ１１の上面に当接し、グローブ２が灯体１へ押圧保持される。
【００１９】
ガイド軸８のうちネジ部８Ｂから上端側には、ネジ部８Ｂより径が小さい径小部８Ｃが形成されている。また、ガイド軸８の上端には、円板状のトッププレート８８がネジ８９により固定されている。したがって、航空障害灯の保守作業時には、ロックナット８６を径小部８Ｃ側へ緩めることにより、グローブ２およびこれに取り付けられている部材の重量より大きいバネ８２の復元力により、ロアプレート８３さらにはグローブ２の上底部２Ａが上方へ持ち上げられる。これにより、ロックナット８６がトッププレート８８に当接する上方位置でグローブ２が保持される。
【００２０】
このように、保守作業時にグローブ２を灯体の上方位置で保持するようにしたので、従来のように、作業スペースがほとんどない高所で取り外したグローブの置き場所を確保したり、グローブの落下を防止するなどの作業を必要としない。また、グローブの回動方向により作業可能方向が制限されることもなく、作業スペースが狭い高所でも容易に保守作業を行うことができる。
また、灯体１の中心にガイド軸８を立設して、グローブ２の上底部２Ａを貫通してグローブ２を上下移動可能に支持するようにしたので、高所作業の危険性を大幅に低減できる。また、ガイド軸８として絶縁部材を用いることにより、金属部材と比較して落雷を防止できるとともに重量を軽減できる。
【００２１】
グローブ２を保持する高さについては、ランプユニット３Ａ〜３Ｃより高い位置まで上げる必要はなく、保守作業として線光源５の交換だけを目的とする場合には、線光源５を交換するのに十分な高さで保持するようにすればよい。
さらに、運用動作時にはグローブ２の上底部２Ａから上方ヘガイド軸８が突出した形態となるため、上底部２Ａへ鳥がとまるのを防ぐ防鳥効果も得られる。鳥などが上底部２Ａへとまると糞などによりグローブ２が汚れる原因となり、グローブ２の汚れ除去や交換などの保守作業も必要となる。このように防鳥効果が得られることにより、保守作業に要するコストを大幅に低減でき、高所に設置される航空障害灯にとって極めて大きな効果が得られる。
【００２２】
また、ガイド軸８の外周部にバネ８２を配置して、保守作業時にはその復元力によりグローブ２を上方位置へ押圧保持するようにしたので、ロックナット８６を緩めることによりグローブ２が自動的に押し上げられ、比較的重量のあるグローブ２を作業者が持ち上げる必要がなくなり、作業負担を大幅に軽減できる。さらに、運用動作時にはロックナット８６をガイド軸８のネジ部８Ｂへ螺合させて締め付けることにより、バネ８２の復元力に抗してグローブ２を灯体１へ押圧保持するようにしたので、落下の危険性のある複数のネジや取付金具を必要とせず、安価な構成で容易にグローブ２を灯体１と着脱できる。
【００２３】
次に、図４，図５を用いて、ランプユニットの構成について説明する。図４はランプユニットを示す構成図、図５は反射鏡を示す説明図である。ホルダ３０は、左右に対向配置された側板３１，３２と、これら側板３１，３２の上下端部を水平方向に連結する上板３３および下板３４とから構成されている。反射鏡４はアルミニウムなど弾性を有する金属の略長方形の薄板からなり、反射面４Ａにはアルミ蒸着処理などにより鏡面が形成されている。側板３１，３２が互いに対向する内側面には、反射鏡４を着脱自在に係合保持するための溝３１Ａ，３２Ａ（係合部）が設けられている。
【００２４】
この溝３１Ａ，３２Ａは、対向する内側面へ向けて開放された凹溝形状で、この溝３１Ａ，３２Ａへ反射鏡４の左右の側部４１，４２が挿入されて係合保持される。ここで、溝３１Ａ，３２Ａは、所望の配光特性が得られる反射鏡４の側面視略凹曲線形状に倣って、前後方向に所定の曲率で形成されている。したがって、板状の反射鏡４がこの溝３１Ａ，３２Ａで係合保持されることにより、その反射面４Ａが理想的な側面視略凹曲線形状となり、全体として所望の配光特性が得られる。反射鏡４は、その弾性により側部４１，４２が溝３１Ａ，３２Ａの側壁に押圧され、適切な力で係合保持される。側板３１，３２の外側面には、反射鏡４の左右前方位置へ突出するアーム３５，３６が固定されており、このアーム３５，３６の先端で線光源５の側端部５２が支持されている。これにより、反射鏡４と線光源５の発光部５１とが所定の光学位置関係で配置されることになる。
【００２５】
溝３１Ａ，３２Ａについては、図５（ｂ）に示すように、溝３１Ａ，３２Ａの上端に、側板３１，３２の前端面（あるいは上端面）に開口する開口端３７Ａが形成されている。これにより、ホルダ３０前上端の開口端３７Ａから溝３１Ａ，３２Ａへ反射鏡４を挿入することができ、ランプユニットの組立作業や反射鏡交換作業をさらに容易に行える。また、溝３１Ａ，３２Ａの下端を側板３１，３２の前端面に開口させず前端面の手前まで形成するなどして係止端３７Ｂが構成されている。これにより、溝３１Ａ，３２Ａへ挿入された反射鏡４を所望の位置で容易に係止できる。
【００２６】
前述した図２では、ロックナット８６を用いてグローブ２を灯体１へ押圧保持する構成を例として説明したが、これに限定されるものではない。図６のように、灯体１のフランジ１１に肉厚の支持部１２を数カ所形成し、グローブ２の下端２１を支持部１２ヘネジ２２（下側保持手段）により固定するようにしてもよい。この場合、グローブ２の穴２Ｂの上面側には、ガイド軸８が貫通する円環状のカバープレート９２が設けられ、このカバープレート９２と上底部２Ａとの間にシール９１が挟まれネジ９３で固定されている。シール９１は、ゴムやシリコーン樹脂などの弾性部材からなる円環状をなしており、ガイド軸８の外周面８Ｅに摩擦接触することによりグローブ２内室への水の浸入を防いでいる。
【００２７】
したがって、航空障害灯の保守作業時に、グローブ２を灯体１から取り外すことにより、グローブ２およびこれに取り付けられている部材の重量より大きいバネ８２の復元力により、ロアプレート８３さらにはグローブ２の上底部２Ａが上方へ持ち上げられる。これにより、ロックナット８６がトッププレート８８に当接する上方位置でグローブ２が保持される。この場合、グローブ下端２１を灯体１へ固定する手段については、ネジ２２に限定されるものではなく他の取付金具を用いてもよい。
【００２８】
以上では、ガイド軸８の周囲にバネ８２を設け、その復元力によりグローブ２を灯体１の上方位置で保持するようにした場合について説明したが、これに限定されるものではない。例えば、図７に示すように、ガイド軸８上端のトッププレート８８にフック９４（上側保持手段）を取り付け、このフック９４でグローブ２を吊持するようにしてもよい。ここでは、図２のネジ８５の代わりにヒートンネジ９５（係合子）を用いており、保守作業時にはグローブ２が上方へ持ち上げられて、ヒートンネジ９５の環部がフック９４に引っかけられ、グローブ２が灯体１の上方位置で保持される。
【００２９】
また、図８に示すように、ガイド軸８の上部位置に、その外周面からわずかに突出するストッパー９６（上側保持手段）を設け、このストッパー９６によりグローブ２を灯体１の上方位置で保持するようにしてもよい。このストッパー９６は金属などの弾性片の中央部が湾曲した形状をなしており、その中央部がガイド軸８の外周面からわずかに突出するように、ガイド軸８の凹部８Ｄにネジ止めされている。このストッパー９６はグローブ２の重量より大きな押圧で内側へ弾性変形する。したがって、保守作業時には、このストッパー９６を通過して上方位置までグローブ２を持ち上げることにより、ロアプレート８３とストッパー９６とが当接してグローブ２が灯体１の上方位置に保持される。
【００３０】
保守作業終了持にはグローブ２を下方へ押し下げることにより、ストッパー９６を通過してグローブ２を灯体１側へ戻すことができる。ストッパー９６については、弾性片に限定されるものではなく、グローブ２の重量より大きな押圧で内側へ弾性変形する部材であれはよく、例えばガイド軸８の外周面からわずかに突出するゴムで形成してもよい。
【００３１】
また、図９に示すように、グローブ２を筒体とし、ガイド軸８が貫通する円環状の上板２Ｃでグローブ２上部を閉じるようにしてもよい。上板２Ｃは、ガイド軸８のネジ部８Ｂよりわずか下側位置に設けられた円板状の凸部８Ｆに係止され、ロックナット８６で締め付けられて固定されている。この上板２Ｃとガイド軸８との間には防水用のシール９７Ａが設けられている。上板２Ｃの外周部とグローブ２の上部内壁との間には防水用のシール９７Ｂが設けられている。
【００３２】
ガイド軸８上端のトッププレート８８には、図７と同様のフック９４が設けられている。またグローブ２の上端壁面には、フック９４と対応する位置に穴９５Ａが形成されている。保守作業時にはグローブ２が上方へ持ち上げられて、穴９５Ａがフック９４に引っかけられ、グローブ２が灯体１の上方位置で保持される。このように、グローブ２を筒体とすることにより、グローブ２自体の重量を軽減でき、保守作業負担を大幅に軽減できる。
【００３３】
次に、図１０，１１を参照して、本発明の第２の実施の形態にかかる航空障害灯について説明する。図１０は第２の実施の形態にかかる航空障害灯を示す断面図、図１１はグローブを取り外した航空障害灯の平面図であり、前述した図１〜３と同じまたは同等部分には同一符号を付してある。前述した第１の実施の形態では、グローブの上底部を貫通するガイド軸を灯体の底部に立設し、グローブを上下移動可能に支持するようにした場合について説明したが、本実施の形態では、灯体の底部に立設されたガイド筒の内側にステー構造を設け、そのステー構造によりグローブを上下移動可能に支持するようにしている。以下では、箱状の灯体１を用いた場合を例として説明するが、前述した有底円筒形状であってもよく、灯体１の外形が限定されるものではない。
【００３４】
灯体１の底部１Ｂには円筒状のガイド筒７１が立設されており、ガイド筒７１の内側には、グローブ２を上下移動可能に支持するステー構造が設けられている。ステー構造は、ガイド筒７１に固定されている固定バー１０１、この固定バー１０１の上端に設けられた保持機構１１０、グローブ２の上底部２Ａに下向きに固定された可動バー１０２、およびこの可動バー１０２の下端に設けられ固定バー１０１と摺動して上下移動可能に支持されるとともに、保持機構１１０と係合してグローブ２を上方位置で保持する係合機構１１１とから構成されている。
【００３５】
固定バー１０１は、その下端およびガイド筒７１を貫通するネジ７２でガイド筒７１に固定されている。
グローブ２の上底部２Ａ中央には、ガイド筒７４が貫通する穴２Ｂが設けられている。穴２Ｂの上面側には、可動バー１０２の上端Ｌ字部分がネジ止めされる円板状のアッパープレート８４が設けられているとともに、下面側には、円環状のロアプレート８３が設けられており、上底部２Ａを挟んでアッパープレート８４とロアプレート８３とがネジ８５により固定されている。アッパープレート８４にはガイド筒７１の外周部に上方から挿着される円筒状のガイド筒７４が固定されている。このガイド筒７４がガイド筒７１の外周部と摺動することにより、グローブ２が上下動する際の横振れが抑制される。
【００３６】
ここで、図１２〜１４を参照して、灯体１の上方位置でグローブ２を保持するステー構造について説明する。図１２は保持機構を示す説明図、図１３は係合機構を示す説明図、図１４はステー構造の動作を示す説明図である。
保持機構１１０は、図１２に示すように、先端に丸みを有し下方へ突出するピン１１１、このピン１１１を固定バー１０１から離れた位置に支持する支持部材１１２、この支持部材１１２を固定バー１０１から少し距離を置いて取り付けるためのスペーサー１１３、および固定バー１０１の側部のうちピン１１１の先端付近に形成された切り欠き部１０１Ａから構成されている。切り欠き部１０１Ａは、開口側へ広がった台形形状をなしており、その開口端の下側角部１０１Ｌと上側角部１０１Ｈには丸みが形成されている。
【００３７】
係合機構１２０は、図１３に示すように、可動バー１０２の下端でピン１２２により回動自在に支持されているコマ１２１と、可動バー１０２の下端に設けられた断面Ｃ字形のホルダー１１３とから構成されている。ホルダー１１３の内側には固定バー１０１が挿入され、このホルダー１１３により固定バー１０１の保持機構１１０と係合機構１２０との平面視での位置関係が規定される。コマ１２１は略Ｈ字形をなしており、その外周部に、ピン１２２を挟んで対向する２つの凹部（第１の凹部）１２１Ａ，凹部（第２の凹部）１２１Ｂと、これら凹部１２１Ａ，１２１Ｂと直交方向でピン１２２を挟んで対向する２つの側面（第１の側面）１２１Ｃ，側面（第２の側面）１２１Ｄとを有している。
【００３８】
このようなステー構造の動作は、図１４に示すように、（ａ）〜（ｅ）の５つのステップに分けられる。まず、保守作業開始時に作業者がグローブ２を持ち上げた場合、（ａ）に示すように、それにつれて可動バー１０２の下端が上昇する。このときコマ１２１は凹部１２１Ａが真上を向く位置にある。可動バー１０２が所定位置まで上昇した場合、（ｂ）に示すように、凹部１２１Ａがピン１１１に当接しさらなる上昇が阻止される。ここでコマ１２１の回動中心位置よりピン１１１が外側に位置するため、凹部１２１Ｂと下側角部１０１Ｌとが対向する角度位置までコマ１２１が回動する。
【００３９】
次に作業者がグローブ２を下げると、（ｃ）に示すように、凹部１２１Ｂと下側角部１０１Ｌとが係合する。このとき、ホルダー１１３により固定バー１０１と可動バー１０２との水平方向における位置関係が規定されているため、可動バー１０２の下降が阻止され、結果としてグローブ２が灯体１の上方位置で保持される。したがって、グローブ２の高さやランプユニット３Ａ〜３Ｃの高さを考慮して、保持機構１１０と係合機構１２０との高さ位置を適切に選択することにより、容易に保守作業できる上方位置でグローブ２を保持することができる。
【００４０】
保守作業終了時に作業者がグローブ２を持ち上げると、（ｄ）に示すように、コマ１２１の側面１２１Ｃがピン１１１に当接しさらなる上昇が阻止される。このとき、（ｂ）と同様にして、側面１２１Ｄと下側角部１０１Ｌとが対向する角度位置までコマ１２１が回動する。次に作業者がグローブ２を下げると、（ｅ）に示すように、側面１２１Ｄが下側角部１０１Ｌに当接し、側面１２１Ｄと固定バー１０１とが平行する角度位置までコマ１２１が回動する。これにより、可動バー１０２の下降阻止（係合）が解除され、グローブ２が灯体１に接する位置まで戻される。
【００４１】
このように、ステー構造を用いてグローブ２を灯体１の上方位置で保持するようにしたので、グローブ２を上下方向へ移動させるという極めて容易な作業で、グローブ２を保持することができ、作業スペースが狭い高所でも容易かつ安全に保守作業を行うことが可能となる。また、グローブ２を貫通するガイド軸を設ける必要がなくなり、グローブ２の気密性がさらに向上し、さらには航空障害灯自体の形状が簡素化されるとともにその高さも低くなり、梱包／開梱作業や取り扱いが容易となる。
【００４２】
図１０，１１に示すように、固定バー１０１の下端にバネ７３を挿着し、係合機構１２０の下端をバネ７３により支持するようにしてもよい。これにより、グローブ２の急激な下降をバネ７３の弾性で受け止めることができ、グローブ２やランプユニット３Ａ〜３Ｃの損傷の原因となるような衝撃を阻止できる。
また、ガイド筒７４の外周面にレバー７７を設けるとともに、このレバー７７でオンオフするスイッチ７５を取付部材７６を介して支持板６に取り付け、グローブ２の上昇を電気的に検出して、ランプユニット３Ａ〜３Ｃへの電源供給を停止するようにしてもよい。これにより保守作業時には電源供給が自動停止されて感電の危険性を抑止でき、保守作業時の安全性を確実に確保できる。
【００４３】
次に、図１０，１１を参照して、本発明の第３の実施の形態にかかる航空障害灯について説明する。本実施の形態では、ランプユニット３Ａ〜３Ｃを回動自在に支持するようにしたものである。
灯体１の天井部１Ｃにはその中央部に円形の穴１Ｄが形成されており、この穴１Ｄを上方から被うようにして、内周部に穴６Ｂを有する円環状の支持板６がネジ６３により天井部１Ｃへ固定されている。支持板６の穴６Ｂの周囲には上方に向かって突出した円筒軸６Ｃが形成されている。支持板６の上側には、円筒軸６Ｃの外周に嵌合するようにして、樹脂製の滑りリング６６を介して円環状のステージ６７が装着されている。このステージ６７の上部にはランプユニット３Ａ〜３Ｃが振り分けて配置されており、各ランプユニット３Ａ〜３Ｃは、取付部材６７Ｂを介してステージ６７の外側面へネジ止めされている。これにより、各ランプユニット３Ａ〜３Ｃは、ステージ６７により支持板６に対して回動自在に支持されている。
【００４４】
円筒軸６Ｃの上端面には、円環状のストッパープレート６８がネジ止めされている。このストッパープレート６８にはボールプランジャー６９が取り付けられており、このボールプランジャー６９とステージ６７の上側面に形成されているくぼみ（図示せず）とで、ステージ６７が所定回動位置で保持される。これにより、風などにより灯体１が振動した場合でもステージ６７の回動位置を所定方向で保持することができる。
ストッパープレート６８の外周部には、所定角度ここでは２４０゜だけ離れた角度位置に半径方向へわずかに突出する凸部６８Ａ，６８Ｂが形成されている。またステージ６７の上側面にはステージ６７回動時にこれら凸部６８Ａ，６８Ｂと当接するようにストッパー６７Ａが取り付けられている。これによりステージ６７の回動角度範囲が制限され、灯体１側からランプユニット３Ａ〜３Ｃへの配線のよじれが防止される。
【００４５】
このように、支持板６の上にステージ６７を回動自在に支持し、そのステージ６７に各ランプユニット３Ａ〜３Ｃを固定するようにしたので、作業スペースが狭い高所など、灯体の周囲で作業可能な角度位置が制限されるように場合でも、ランプユニット３Ａ〜３Ｃを回動させることができるため、いずれのランプユニットについても容易かつ安全に保守作業を行うことが可能となる。なお、この場合は、前述したようにグローブ２を灯体１の上方位置で保持する必要性はなく、落下の危険性を考慮してグローブ２を灯体１に着脱自在に支持するようにしてもよい。この支持部材としては、例えば図１５に示すように蝶番１６を用いてもよく、図１６に示すようにロープやチェーンなどの紐体１７を用いてもよい。
【００４６】
【発明の効果】
以上説明したように、本発明は、下方に開口する有底筒状をなし、灯体に立設されて、灯体の上方から光源を被うように灯体へ着脱自在に保持されるグローブを、保持手段により、保守作業時に灯体の上方位置で保持するとともに、ガイド軸により、グローブの上底部を貫通してグローブを上下移動可能に支持するようにしたので、あるいは灯体に対して光源を回動自在に支持するようにしたので、従来のように、作業スペースがほとんどない高所で取り外したグローブの置き場所を確保したり、グローブの落下を防止するなどの作業を必要としない。また、グローブの回動方向により作業可能方向が制限されることもなく、作業スペースが狭い高所でも容易に保守作業を行うことができる。
【図面の簡単な説明】
【図１】  本発明の第１の実施の形態による航空障害灯の構成図である。
【図２】  図１のII−II断面図である。
【図３】  グローブ取り外し時の平面図である。
【図４】  ランプユニットを示す構成図である。
【図５】  反射鏡を示す説明図である。
【図６】  グローブの他の取付構造を示す断面図である。
【図７】  グローブの他の保持構造を示す断面図である。
【図８】  グローブの他の保持構造を示す断面図である。
【図９】  グローブの他の保持構造を示す断面図である。
【図１０】  本発明の第２および第３の実施の形態による航空障害灯の構成図である。
【図１１】  図１０のグローブ取り外し時の平面図である。
【図１２】  保持機構を示す説明図である。
【図１３】  係合機構を示す説明図である。
【図１４】  ステー構造の動作を示す説明図である。
【図１５】  グローブの他の保持構造を示す説明図である。
【図１６】  グローブの他の保持構造を示す説明図である。
【符号の説明】
１…灯体、１Ａ…灯体開口部、１Ｂ…灯体底部、１Ｃ…灯体天井部、１１…フランジ、１２…支持部、１３…穴、１４…底板、１５…ロックナット、２…グローブ、２Ａ…グローブ上底部、２Ｃ…上板、２１…グローブ下端、２２…ネジ、３Ａ〜３Ｃ…ランプユニット、４…反射鏡、５…線光源、６…支持板、６Ｂ…穴、６Ｃ…円筒軸、６１，６２…穴、６４…ストッパープレート、６６…滑りリング、６７…ステージ、６７Ａ…ストッパー、６７Ｂ…取付部材、６８…ストッパープレート、６８Ａ，６８Ｂ…凸部、６９…ボールプランジャー、７１，７４…ガイド筒、７２…ネジ、７３…バネ、７５…スイッチ、７６…取付部材、８…ガイド軸、８Ａ，８Ｂ…ネジ部、８Ｃ…ガイド軸径小部、８Ｄ…ガイド軸凹部、８Ｅ…ガイド軸外周面、８Ｆ…凸部、８１…カラー、８２…バネ、８３…ロアプレート、８４…アッパープレート、８６…ロックナット、８７…シール、８８…トッププレート、９１…シール、９２…カバープレート、９４…フック、９４Ａ…穴、９５…ヒートンネジ、９６…ストッパー、９７Ａ，９７Ｂ…シール、１０１…固定バー、１０１Ａ…切り欠き部、１０１Ｌ…下側角部、１０１Ｈ…上側角部、１０２…可動バー、１１０…保持機構、１１１…ピン、１１２…支持部材、１１３…スペーサー、１２０…係合機構、１２１…コマ、１２１Ａ，１２１Ｂ…凹部、１２１Ｃ，１２１Ｄ…側面、１２２…ピン、１２３…ホルダー。
【図１】
0004361671.tif 000002
【図２】
0004361671.tif 000003
【図３】
0004361671.tif 000004
【図４】
0004361671.tif 000005
【図５】
0004361671.tif 000006
【図６】
0004361671.tif 000007
【図７】
0004361671.tif 000008
【図８】
0004361671.tif 000009
【図９】
0004361671.tif 000010
【図１０】
0004361671.tif 000011
【図１１】
0004361671.tif 000012
【図１２】
0004361671.tif 000013
【図１３】
0004361671.tif 000014
【図１４】
0004361671.tif 000015
【図１５】
0004361671.tif 000016
【図１６】
0004361671.tif 000017